(57)【要約】【課題】側部に複数の高輝度ＬＥＤが配列された薄型の内照式看板において、より均一に広告等の表示部を照らす。【解決手段】拡散反射面は、ＬＥＤ２の配置用側部においてＬＥＤ２と表示部３との間へ設けられ、表示部３側からＬＥＤ２側へ行くに連れてＬＥＤ２と対向する対向側部側へ向け漸次張り出す連続面を構成し、且つ、看板の正面視において、ＬＥＤ２の配列方向に伸びる連続面を構成し、対向側部側からの光を拡散反射し、補間反射面は、配置用側部においてＬＥＤ２を挟んで表示部３と反対側へ設けられ、対向側部側へ向けて立ち上がると共にＬＥＤ２の配列方向に伸びる連続面を構成し、補間反射面は、受けたＬＥＤ２の光を拡散反射して隣接するＬＥＤ２側へ向け、ＬＥＤ２同士の間の明るさを補う。【選択図】図１
2013148739.tif 000002
【特許請求の範囲】
【請求項１】
光源である複数のＬＥＤと、前記ＬＥＤの光を看板外部へ透過する表示部と、少なくとも正面に前記表示部を保持し内部に前記複数のＬＥＤを収容する筺体とを備え、前記筺体は、筺体内部の空間を挟んで対向し合う少なくとも２つの側部を備え、当該側部のうち少なくとも一方をＬＥＤの配置用側部とし他の一方を対向側部として、前記複数のＬＥＤは、配置用側部に沿って互いの間隔を開けて配列され対向側部へ向けて光を放出する内照式看板において、
前記配置用側部には、前記対向側部側から前記配置用側部側へ到達する間接光を拡散反射して前記表示部を照らす拡散反射面が設けられ、
前記拡散反射面は、前記表示部側から前記ＬＥＤ側へ向かうに連れて前記対向側部側へ向け漸次張り出し、
前記拡散反射面は、前記ＬＥＤの配列方向に沿って伸びる面であることを特徴とする内照式看板。
【請求項２】
前記配置用側部には、前記ＬＥＤからの直接光を拡散反射して前記表示部を照らす補間反射面が設けられ、
前記補間反射面は、前記配置用側部において少なくとも前記ＬＥＤを挟んで前記表示部と反対側へ設けられて前記ＬＥＤを臨む面であり、
前記補間反射面は、前記配置用側部側から前記対向側部側へ向けて立ち上がる面であり、
前記補間反射面は、ＬＥＤの配列方向に沿って伸び、
前記補間反射面は、前記ＬＥＤの光を拡散反射して、間隔を開けて配列されたＬＥＤ間の明るさを補うものであることを特徴とする請求項１記載の内照式看板。
【請求項３】
前記対向側部側へ張り出す前記拡散反射面の頂部は、前記ＬＥＤ先端よりも前記対向側部側へ位置し、
前記補間反射面を後補間反射面とし、前記配置用側部には、前記ＬＥＤと前記拡散反射面との間に、前記ＬＥＤを臨む前補間反射面が設けられたものであり、
前記前補間反射面は、前記ＬＥＤからの直接光を拡散反射し、前記後補間反射面は、前記ＬＥＤからの直接光と共に前記前補間反射面からの間接光にて前記表示部を照らし、
前記前補間反射面は、前記配置用側部側から前記対向側部側へ向けて立ち上がる面であり、
前記前補間反射面は、ＬＥＤの配列方向に沿って伸び、
前記対向側部側へ向けて立ち上がる前後両補間反射面の頂部は、前記ＬＥＤよりも前記対向側部側へ位置するものであることを特徴とする請求項２記載の内照式看板。
【請求項４】
前記対向側部側へ立ち上がる前記前補間反射面と前記後補間反射面のうち、少なくとも一方の補間反射面には、他の一方の補間反射面から後退する後退部が設けられ、前記両補間反射面の先端間の間隔は、当該後退部における前記両補間反射面間の間隔よりも、小さなものであることを特徴とする請求項３記載の内照式看板。
【請求項５】
前記表示部を前表示部とし、
前記筺体の背面に設けられて前記ＬＥＤの光を看板外部へ透過する後表示部を備え、
前記拡散反射面を前記ＬＥＤと前記前表示部との間に設けられた前拡散反射面とし、前記配置用側部の前記ＬＥＤと前記後表示部との間には、後拡散反射面が設けられ、
前記後拡散反射面は、前記後表示部側から前記ＬＥＤ側へ向かうに連れて前記対向側部側へ向け漸次張り出し、
前記後拡散反射面は、前記ＬＥＤの配列方向に沿って伸びる面であることを特徴とする請求項１乃至４の何れかに記載の内照式看板。
【請求項６】
前記前拡散反射面と後拡散反射面とが、ＬＥＤの前記配列方向から見て、前記対向側部側へ向けて張り出す凸状の円弧又は前記対向側部側へ向けて張り出す凸状の多角形を呈するものであることを特徴とする請求項５記載の内照式看板。
【請求項７】
前記配置側部には、表面が拡散反射を行うカバーが設けられ、
前記カバーは、ＬＥＤの前記配列方向から見て前記対向側部側へ向け凸状をなし且つＬＥＤの前記配列方向にその尾根が伸びる山型の部材であり、
前記カバーの前記尾根は、前記対向側部に向け開口し且つ当該尾根に沿って伸びる溝を備え、
前記複数のＬＥＤは、前記溝の底部に配列され、前記溝内から前記対向側部を照らすものであり、
前記前拡散反射面は、前記カバー表面の前記溝より前方の部分にて構成され、
前記後拡散反射面は、前記カバー表面の前記溝より後方の部分にて構成され、
前記後補間反射面は、前記溝が備える側壁のうちＬＥＤ後方側の側壁の前面にて構成され、
前記前補間反射面は、前記溝が備える側壁のうちＬＥＤ前方側の側壁の後面にて構成されたものであることを特徴とする請求項５又は６記載の内照式看板。
【請求項８】
前記カバーは、弾性変形可能なシートにて形成され、
当該シートを成形し或いは当該シートを湾曲するか折り曲げて、前記カバーの尾根と交差する断面を、円弧又は多角形の輪郭を有する前記山型とすることにより、前記前拡散反射面と後拡散反射面とを、ＬＥＤの前記配列方向から見て、前記対向側部側へ向けて張り出す上記凸状の円弧又は多角形とする請求項７記載の内照式看板。
【請求項９】
前記各ＬＥＤは、ＬＥＤ素子と当該ＬＥＤ素子に設けられてＬＥＤ素子が発する光の配光を調整するレンズとを備え、
前記溝底部のカバー表面側は、前記ＬＥＤからの直接光と、前後両補間反射面にて拡散反射した前記ＬＥＤの反射光とを拡散反射するものであり、
前記溝底部には、ＬＥＤの配列方向に沿って互いの間隔を開けて配列された複数の貫通孔が設けられ、
前記各貫通孔は、前記溝底部において前記カバーの表面から裏面へ貫通するものであり、前記ＬＥＤは、前記貫通孔を通して前記溝内へ突出するものであることを特徴とする請求項７又は８に記載の内照式看板。
【請求項１０】
前記各表示部は、板であり、
少なくとも前記配置用側部と前記対向側部とは、前記表示部の表面側に配置されて前記表示部の縁を覆う鍔を備え、
前記配置用側部の前記鍔の先は、当該鍔が設けられた前記配置用側部と前記対向側部との間において、前記拡散反射面よりも、当該配置用側部側に位置するものであることを特徴とする請求項３乃至１２の何れかに記載の内照式看板。
【発明の詳細な説明】
【技術分野】
【０００１】
本願発明は、内照式看板に関するものである。
【背景技術】
【０００２】
一般に内照式看板は、看板内部に設けられた光源の光を広告等の表示面に透過させて広告等の表示を行うものである。
近年では、光源として旧来の蛍光灯に代えて、ＬＥＤ（発光ダイオード）を光源とする内照式看板が普及しつつある。
このＬＥＤを光源とする内照式看板では、蛍光管全体で発光する蛍光灯に対し、ＬＥＤの発光素子が点光源として発光するものであるため、旧来の蛍光灯を光源とする看板と同様の広さの広告面を照らそうとすると、多数のＬＥＤが必要となる。
その一方で、１つの看板に多数のＬＥＤを使用すると、消費電力が増し、発熱量も大きくなる。更に多数のＬＥＤを設けることによるコスト上昇の面も無視できるものではない。
また、個々のＬＥＤにレンズを設けてＬＥＤの配光角を調整したものが照明器具一般に使用されている。
しかし、上記の通り、レンズにより配光を調整するものとしても、看板内部において、表示面とＬＥＤとの間に光が広がるための十分な距離を必要とする。近年薄型の看板のニーズが高まる中、上記距離確保のために看板の寸法を肥大化させるのは、当該ニーズの傾向に逆行する。
【０００３】
一方、看板を薄くするため、正面と背面とに広告等の表示部を保持する筺体を備えた看板の内部において、当該筺体側部へ当該側部の伸びる方向に沿ってＬＥＤを設け、ＬＥＤが設けられた当該側部と対向する側部側にＬＥＤの光軸を向けて、ＬＥＤから表示部へ向かう光の到達距離を大きく確保して、筺体前後の厚み即ち看板の正面と背面の両表示部間の間隔を小さく抑えることが考えられる。
例えば、特許文献１の図４へ示すものは、看板の小型化を目的とするものではないが、看板の筺体内部において、ＬＥＤが設けられた下側部（筺体の底部）に対向する上側部（筺体の天部）へＬＥＤの光軸を向け、当該下側部側からＬＥＤの光を放射することにて、光の広がる距離を看板の上下方向について大きく確保したものである。
このため、特許文献１の図４へ示された看板は、看板の広告面間の幅を肥大化させずに、前後の表示面に光の放射範囲を十分に広げることができると思われる。また、ＬＥＤを看板の一側部、特許文献１における図４の例のように筺体の下側部にのみＬＥＤを設ける場合であっても、上側部側に向けて放たれたＬＥＤの光を、上側部側を利用して拡散反射させて、上側部付近の表示部の明るさを十分確保できるとの考えもあった。
一般に、表示面の各部における明暗の差が小さいもの、即ち、表示部の明るさの均一化されたものが、品位の高い看板と考えられている。
【先行技術文献】
【特許文献】
【０００４】
【特許文献１】特表２００９−５１１９８４号公報
【発明の概要】
【発明が解決しようとする課題】
【０００５】
しかし、実際には、上記の看板の表示部において、ＬＥＤの設けられた側部（下側部）付近は、ＬＥＤの光軸が向けられた側部（上側部）付近よりも暗く、しかもその明暗の差は大きなものであった。このため上記の内照式看板において、広告等の表示の品位は低いものとなっていた。
更に、上記に加え、上記看板の表示部において、レンズの特性によりＬＥＤ付近部に輝線が現れ、看板の品位を著しく低下させる。
表示部において、ＬＥＤ付近は、上記の通り対向する側部付近に比べて暗いため、上記輝線の模様は、とりわけ目立つものである。
この点を検証した具体例を図８（Ｂ）上段の写真へ示す。この図８（Ｂ）上段に示す看板は、正面と背面とに広告等の表示部を保持する筺体の内部において、下側部即ち底部にＬＥＤを配列したものである。図８（Ｂ）上段の看板において、各ＬＥＤは光軸を上方に向け、ＬＥＤが設けられた下側部と対向する上側部即ち筺体の天部に向け光を放つ。
図８（Ｂ）上段の写真へ示す通り、正面の表示部において、光源である上記各ＬＥＤが設けられた下側部付近は、筺体の上側部付近に比べて暗く、その明暗の差は一瞥して認識できるほど大きい。
その上、表示部において、暗部であるＬＥＤ側の側部付近即ち上側部付近には、複数の山型が連なる輝線が現れ、左右横方向にジグザグに伸びている。上記の暗部中で、上記輝線は際立ったものとなっており、このような輝線は、表示部の品位を著しく損なうものであった。
特許文献１の請求項６において、指向性のサイドローブの表示部への影響を回避するため、光源と表示面との間に遮光手段を設けることが記載されているが、当該遮光手段の具体的な形態は示されていない。
上記の遮光手段により、ＬＥＤ側の光の表示部への進行を単にカットして上記輝線の発現を解消した場合、光をカットされた分看板全体としての光量が減少し、巨視的には看板全体を暗くし、表示部におけるＬＥＤ付近の上記暗部を助長する。従って、この場合、表示部全体としての上記品位の低下を改善するものとはなっていない。
【０００６】
また、一般に広告の表示部を面板とする内照式看板において、その筐体には、表示部の縁を保持するフランジと呼ばれる鍔が設けられている。例えば、筺体正面側の表示部の前方に当該鍔が設けられており、鍔は、表示部を筺体の前方へ脱落させないように、表示部の縁を表示部の前方から覆う。ＬＥＤが設けられた側部の鍔について、当該側部と対向する側の側部へ向けた鍔先端との間の幅を大きくとって、当該鍔にて、上記輝線を表示面の外部から覆い隠すことも考えられる。
しかし、上記鍔を利用する場合も、光源の光を単にカットするものであり、上記遮光手段にて表示部の内側にて遮光を行う場合と同様、表示面全体としての品位の低下を改善するものとはなっていない。
更に、輝線を隠すために鍔の上記幅を大きくすることによって、看板が野暮ったいものとなってしまう。液晶テレビやパソコンの、画面を囲む枠縁が近年細いものになり、そのデザインが格段に向上したことを慮れば、人目を引くためにデザインをその重要な要素とする看板において、上記のデザインの後退は受け入れ難いものである。
【０００７】
このため、筺体側部に光源となる複数のＬＥＤが配列された上記内照式看板において、品位低下の抜本的な改善が望まれた。
本願発明は、上記問題の解決を目的とする。
【課題を解決するための手段】
【０００８】
本願の請求項１に係る発明は、光源である複数のＬＥＤと、前記ＬＥＤの光を看板外部へ透過する表示部と、少なくとも正面に前記表示部を保持し内部に前記複数のＬＥＤを収容する筺体とを備え、前記筺体は、筺体内部の空間を挟んで対向し合う少なくとも２つの側部を備え、当該側部のうち少なくとも一方をＬＥＤの配置用側部とし他の一方を対向側部として、前記複数のＬＥＤは、配置用側部に沿って互いの間隔を開けて配列され対向側部へ向けて光を放出する内照式看板において、次の構成を採るものを提供する。
即ち、前記配置用側部には、前記対向側部側から前記配置用側部側へ到達する間接光を拡散反射して前記表示部を照らす拡散反射面が設けられ、前記拡散反射面は、前記表示部側から前記ＬＥＤ側へ向かうに連れて前記対向側部側へ向け漸次張り出し、前記拡散反射面は、前記ＬＥＤの配列方向に沿って伸びる面である
【０００９】
本願の請求項２に係る発明は、本願の上記請求項１の発明にあって、次の構成を採る内照式看板を提供する。
即ち、前記配置用側部には、前記ＬＥＤからの直接光を拡散反射して前記表示部を照らす補間反射面が設けられ、前記補間反射面は、前記配置用側部において少なくとも前記ＬＥＤを挟んで前記表示部と反対側へ設けられて前記ＬＥＤを臨む面であり、前記補間反射面は、前記配置用側部側から前記対向側部側へ向けて立ち上がる面であり、前記補間反射面は、ＬＥＤの配列方向に沿って伸び、前記補間反射面は、前記ＬＥＤの光を拡散反射して、間隔を開けて配列されたＬＥＤ間の明るさを補うものである。
【００１０】
本願の請求項３に係る発明は、本願の上記請求項２の発明にあって、次の構成を採る内照式看板を提供する。
即ち、前記対向側部側へ張り出す前記拡散反射面の頂部は、前記ＬＥＤ先端よりも前記対向側部側へ位置し、前記補間反射面を後補間反射面とし、前記配置用側部には、前記ＬＥＤと前記拡散反射面との間に、前記ＬＥＤを臨む前補間反射面が設けられたものであり、前記前補間反射面は、前記ＬＥＤからの直接光を拡散反射し、前記後補間反射面は、前記ＬＥＤからの直接光と共に前記前補間反射面からの間接光にて前記表示部を照らし、前記前補間反射面は、前記配置用側部側から前記対向側部側へ向けて立ち上がる面であり、前記前補間反射面は、ＬＥＤの配列方向に沿って伸び、前記対向側部側へ向けて立ち上がる前後両補間反射面の頂部は、前記ＬＥＤよりも前記対向側部側へ位置する。
【００１１】
本願の請求項４に係る発明は、本願の上記請求項３の発明にあって、次の構成を採る内照式看板を提供する。
即ち、前記対向側部側へ立ち上がる前記前補間反射面と前記後補間反射面のうち、少なくとも一方の補間反射面には、他の一方の補間反射面から後退する後退部が設けられ、前記両補間反射面の先端間の間隔は、当該後退部における前記両補間反射面間の間隔よりも、小さなものである。
【００１２】
本願の請求項５に係る発明は、本願の上記請求項１乃至４の何れかに発明にあって、次の構成を採る内照式看板を提供する。
即ち、この内照式看板は、前記表示部を前表示部とし、前記筺体の背面に設けられて前記ＬＥＤの光を看板外部へ透過する後表示部を備え、前記拡散反射面を前記ＬＥＤと前記前表示部との間に設けられた前拡散反射面とし、前記配置用側部の前記ＬＥＤと前記後表示部との間には、後拡散反射面が設けられ、前記後拡散反射面は、前記後表示部側から前記ＬＥＤ側へ向かうに連れて前記対向側部側へ向け漸次張り出し、前記後拡散反射面は、前記ＬＥＤの配列方向に沿って伸びる面である。
【００１３】
本願の請求項６に係る発明では、本願の上記請求項５の発明にあって、前記前拡散反射面と後拡散反射面とが、ＬＥＤの前記配列方向から見て、前記対向側部側へ向けて張り出す凸状の円弧又は前記対向側部側へ向けて張り出す凸状の多角形を呈するものである内照式看板を提供する。
【００１４】
本願の請求項７に係る発明は、本願の上記請求項５又は６の発明にあって、次の構成を採る内照式看板を提供する。
即ち、前記配置側部には、表面が拡散反射を行うカバーが設けられ、前記カバーは、ＬＥＤの前記配列方向から見て前記対向側部側へ向け凸状をなし且つＬＥＤの前記配列方向にその尾根が伸びる山型の部材であり、前記カバーの前記尾根は、前記対向側部に向け開口し且つ当該尾根に沿って伸びる溝を備え、前記複数のＬＥＤは、前記溝の底部に配列され、前記溝内から前記対向側部を照らすものであり、前記前拡散反射面は、前記カバー表面の前記溝より前方の部分にて構成され、前記後拡散反射面は、前記カバー表面の前記溝より後方の部分にて構成され、前記後補間反射面は、前記溝が備える側壁のうちＬＥＤ後方側の側壁の前面にて構成され、前記前補間反射面は、前記溝が備える側壁のうちＬＥＤ前方側の側壁の後面にて構成されたものである。
【００１５】
本願の請求項８に係る発明は、本願の上記請求項７の発明にあって、次の構成を採る内照式看板を提供する。
即ち、前記カバーは、当該シートを成形し或いは当該シートを湾曲するか折り曲げて、前記カバーの尾根と交差する断面を、円弧又は多角形の輪郭を有する前記山型とすることにより、前記前拡散反射面と後拡散反射面とを、ＬＥＤの前記配列方向から見て、前記対向側部側へ向けて張り出す上記凸状の円弧又は多角形とする。
【００１６】
本願の請求項９に係る発明は、本願の上記請求項７又は８の発明にあって、次の構成を採る内照式看板を提供する。
即ち、前記各ＬＥＤは、ＬＥＤ素子と当該ＬＥＤ素子に設けられてＬＥＤ素子が発する光の配光を調整するレンズとを備え、前記溝底部のカバー表面側は、前記ＬＥＤからの直接光と、前後両補間反射面にて拡散反射した前記ＬＥＤの反射光とを拡散反射するものであり、前記溝底部には、ＬＥＤの配列方向に沿って互いの間隔を開けて配列された複数の貫通孔が設けられ、前記各貫通孔は、前記溝底部において前記カバーの表面から裏面へ貫通するものであり、前記ＬＥＤは、前記貫通孔を通して前記溝内へ突出する。
【００１７】
本願の請求項１０に係る発明は、本願の上記請求項３乃至１２の何れかの発明にあって、次の構成を採る内照式看板を提供する。
即ち、前記各表示部は、板であり、少なくとも前記配置用側部と前記対向側部とは、前記表示部の表面側に配置されて前記表示部の縁を覆う鍔を備え、前記配置用側部の前記鍔の先は、当該鍔が設けられた前記配置用側部と前記対向側部との間において、前記拡散反射面よりも、当該配置用側部側に位置する。
【発明の効果】
【００１８】
本願の各請求項の発明は、拡散反射面により、ＬＥＤが設けられた側部と対向する側部から、当該ＬＥＤ側へ向かう光を拡散反射して、表示部において、ＬＥＤを設けられた側部側付近が当該側部と対向する側部付近より暗くなるのを緩和して、看板の品位を向上させた。
特に、本願の請求項２の発明は、表示部において、ＬＥＤ近傍に発生する輝線を単にＬＥＤから直接表示部へ向かう光を遮断することのみにて解消するのではなく、補間反射面にて当該光を拡散反射させて、暗くなりがちなＬＥＤ間の部分の明るさを補うのに利用することにより、遮光で看板全体の明るさが低下するのを回避しつつ輝線の発生を解消して、看板の品位をより向上させた。
本願の請求項３の発明では、ＬＥＤを挟んでＬＥＤの前後に設けられた後補間反射面と前補間反射面との間で、ＬＥＤの光の一部を多重に拡散反射し合って、即ちＬＥＤからの直接光を前後の両補間反射面間でキャッチボールした後に表示部へ向けて放出するものであるため、表示部をより均一化した柔らかい光で照らすことができる。
本願の請求項４の発明は、特に、ＬＥＤの特性によりＬＥＤから当該ＬＥＤの真正面或いは真後ろに発された光を、拡散反射し、後退部によって確保された空間を通じて、隣接するＬＥＤ側へ拡散反射することを可能としたものであり、表示部におけるＬＥＤ間の暗部をより効果的に抑制する。
本願の請求項５の発明は、前後双方に表示部を備えた看板について、両表示部の品位を向上させた。
本願の請求項６の発明は、拡散反射面のより好ましい形態を提供した。
本願の請求項７の発明は、前拡散反射面と、後拡散反射面と、前補間反射面と、後補間反射面を構成するより具体的な手段を提供した。
本願の請求項８の発明は、既存の内照式看板に対して、簡単に、前拡散反射面と、後拡散反射面と、前補間反射面と、後補間反射面を設けることができる手段を提供した。また、前拡散反射面と後拡散反射面と前補間反射面と後補間反射面とを構成するカバーを、柔軟なシートにて形成することにより、看板内部へ当該各反射部を設けるに当たり厳密な寸法精度が要求されず、柔軟に取り付けの対象となる看板に対応することができる。
本願の請求項９の発明は、本願発明に係る上記各内照式看板を提供するより具体的な手段を提供した。
本願の請求項１０の発明では、板である表示部を筺体から脱落しないように覆う鍔で表示部に発生する輝線を隠す必要がないので、鍔の突出幅を小さく抑えることによって、表示部における表示の範囲を広く確保した。また、表示部の当該表示範囲と相対的に鍔の突出幅を小さいものとし、看板のデザインを向上させた。
本願発明は、特に、筺体の側部に光源である複数の高輝度ＬＥＤが配列された、小型で薄型の看板において、看板の品位を向上させたものである。即ち、看板の肥大化を抑えつつ、看板の表示品位を向上することを可能とした。また、補間反射面を設けることにて、使用できるＬＥＤのレンズユニットを極めて広範なものとすることができる。また、光の横漏れ（ユニット外周面からの光の放出）があるタイプのレンズユニットを用いた場合、補間反射面は特に有効であり、複数のＬＥＤ間のピッチを大きくすることができ、使用するＬＥＤの数量を低減することができる。
【図面の簡単な説明】
【００１９】
【図１】（Ａ）は本願発明の一実施の形態に係る内照式看板の内部を透視した状態の略斜視図、（Ｂ）は当該看板の要部であるカバーの一部切欠拡大斜視図、（Ｃ）は前記カバーにＬＥＤを取り付けた状態を示す一部切欠拡大斜視図。
【図２】（Ａ）及び（Ｂ）は看板内でのＬＥＤの光の反射を説明する図１（Ａ）の看板の縦断面図、（Ｃ）及び（Ｄ）は看板内でのＬＥＤの光の反射を説明する変更例の縦断面図。
【図３】（Ａ）は上記看板のカバーの一部切欠拡大平面図、（Ｂ）は当該カバーの他の実施の形態を示す側面図。
【図４】（Ａ）及び（Ｂ）は、図１へ示す看板の変更例を示す縦断面図、（Ｃ）は更に他の変更例である看板の縦断面図、（Ｄ）は比較例である看板の縦断面図。
【図５】（Ａ）はまた更に他の変更例である看板のカバーを外して内部を透視した略斜視図、（Ｂ）は（Ａ）の看板に装着されるカバーの斜視図、（Ｃ）は（Ａ）の看板にカバーを取り付け状態を示す縦断面図。
【図６】（Ａ）は更にまた他の変更例である看板の内部を透視した略斜視図、（Ｂ）は（Ａ）の看板に装着されるカバーの斜視図。
【図７】（Ａ）は上記カバーの他の実施の形態を示す一部切欠拡大斜視図、（Ｂ）は上記カバーのまた他の実施の形態を示す一部切欠拡大斜視図、（Ｃ）は上記カバーの更にまた他の実施の形態を示す一部切欠拡大斜視図。
【図８】（Ａ）は本願発明の一実施例の説明図、（Ｂ）は比較例の説明図。
【図９】（Ａ）は本願発明の他の実施例の説明図、（Ｂ）は他の比較例の説明図。
【図１０】（Ａ）及び（Ｂ）は、本願発明の効果を示す説明図。
【発明を実施するための形態】
【００２０】
以下、図面に基づき本願発明の実施の形態を説明する。
説明の便宜上、図中Ｕは上方を、Ｓは下方を、Ｆは前方を、Ｂは後方を、Ｌは左側を、Ｒは右側を示す。
図１（Ａ）〜（Ｃ）へ示す通り、この看板は、筺体１と、光源である複数のＬＥＤ２と、広告等の表示部３と、カバー４とを備える。
以下各部の構成について、順に説明する。
【００２１】
（筺体１）
図１（Ａ）へ示す通り、筺体１は、正面と背面の夫々に上記表示部３が取り付けられる正面視矩形の枠体であり、正面と背面とが開放されている。
筺体１は、筺体１の天部をなす上側部１１と、筺体１の底部をなす下側部１２と、左側部１３と、右側部１４の４つの側部を備える。
筺体１は不透明であり、ＬＥＤ２、電源や基板などのＬＥＤ２の周辺機器、ＬＥＤ２の取付手段、表示部３を支持することが可能な強度を備える。筺体１は、正面と背面とが開放された、金属製のケースである。
筺体１の上記４つの側部の一部は、筺体１の他の側部と別体に形成され、ネジやボルトなどの周知の取付具（図示しない。）にて、各側部は一体にされる。
図２（Ａ）へ示す通り、筺体１の上記各側部の前端辺と後端辺の夫々には、表示部３を保持する鍔が２つ設けられている。鍔の一方は看板の外側に位置する外鍔１５であり、鍔の他の一方は外鍔１５より看板の内側に位置する内鍔１６である。各鍔１５，１６は、各側部の前端及び後端から、対向する側部へ向け、看板の前後方向と直交する方向に立ち上がる立上部である。
この実施の形態では、上側部１１の前端と後端、更に、下側部１２の前端と後端の夫々に、上記外鍔１５と内鍔１６が設けられている。上側部１１の外鍔１５と内鍔１６は、上側部１１の前端と後端から下側部１２へ向け下方へ立ち上がる。下側部１２の外鍔１５と内鍔１６は、下側部１２の前端と後端から上側部１１へ向け上方へ立ち上がる。
図２（Ａ）へ示す通り、下側部１２において、ＬＥＤの光軸方向即ち看板の上下方向について、上記外鍔１５の先端ｔ２は、カバー４の先端ｔ１も下側部１２側に位置する。カバー４の当該先端ｔ１とは、後述するカバー４の頂部である。
【００２２】
（ＬＥＤ２）
この実施の形態において、上記複数のＬＥＤ２は、筺体１の上記下側部１２に設けられる。複数のＬＥＤ２は、平面視矩形である上記下側部１２の長辺に沿って、互いの間隔を開けて、看板の左右方向に配列されている。
即ち、上記下側部１２がＬＥＤの配置用側部であり、平面視矩形の上記上側部１１が、下側部１２と対向する対向側部である。この実施の形態において、対向側部即ち筺体１の上記上側部１１には、ＬＥＤ２は設けられていない。また、図示は省略するが、この実施の形態において、対向側部即ち上側部１１の下面には、拡散反射用シートが当該下面に重ねて張り付けられている。
ＬＥＤ２の夫々は、上記配置用側部に設けられて、上記対向側部に向けて光を放つ。即ち、各ＬＥＤ２は、上記対向側部に光軸を向ける。
各ＬＥＤ２は、高輝度ＬＥＤの素子２０と、当該素子２０に設けられたレンズユニット２１にて構成されている。レンズユニット２１は上記ＬＥＤ素子２０の光を調整し、光軸を中心とするＬＥＤ素子２０の配光を拡大する。
上記ＬＥＤ２には、高輝度ＬＥＤを採用する。この高輝度ＬＥＤには、従来のＬＥＤに比べて、１０〜３０倍の輝度を有するものを使用する。高輝度ＬＥＤとして、白色ＬＥＤを採用するのが好ましい。例えば、ＬＥＤ２には、光束１００ｌｍとし色温度を６５００Ｋとする市販のものを採用するのが好ましい。但し、ＬＥＤ２についてはこのような数値のものに限定するものではない。
市販されているレンズユニットによるＬＥＤ２の配光の特徴を図５及び図６へ示す。図５及び図６へ示す看板は、カバー４について後に説明する通り図１及び図２へ示す看板と異なるが、ＬＥＤ２の構成については図１及び図２へ示す看板と変わりないので、図５及び図６を用いて、ＬＥＤ２について説明する。
現在使用可能と確認されているレンズ（レンズユニット２１）には、図５（Ａ）（Ｂ）へ示す、光の広がり即ち配光について角が丸みを帯びた矩形のタイプと、図６（Ａ）（Ｂ）へ示す通り配光について円形のタイプがある。
図５（Ａ）（Ｂ）へ示す、市販の配光が矩形タイプのレンズユニットにおいて、外周面が透明であり、当該外周面から光が漏れて、配光ｍを広げる傾向を持つものが普及している。
この矩形タイプのものでは、配光は長軸と短軸とを備える。より正確には、配光は、長辺と短辺を備えた長方形である。
図５（Ａ）（Ｂ）へ示す通り、配光の長軸即ち長辺がＬＥＤ２の配列方向に沿うように各ＬＥＤ２を配置することにより、隣り合うＬＥＤ２の間隔を大きく確保することができる。
図６（Ａ）（Ｂ）へ示すタイプのレンズユニットは、英国Ｃａｒｃｌｏ社（111 Buckingham Avenue, Slough, Berkshire SL1 4PF ENGLAND.）の供給するものに見られる。  この配光ｍが円形タイプのレンズユニットにおいて、外周面は不透明であり、レンズユニットの外周面から光は漏れない。
【００２３】
図３（Ｂ）へ示す通り、各ＬＥＤ２は、基板２２へ取り付けられている。この基板２２は、金属製の板片であり、主として放熱と他へのＬＥＤの取り付けのために用いられる。
上記基板２２は、アルミ製の取付部材２３に取り付けられる。取付部材２３は、アルミ製のバーであり、側面視略Ｃ字状のチャンネル材である。複数の上記基板２２は、取付部材２３へ取り付けられる。チャンネル材である取付部材２３の端部から、基板２２を順次取付部材２３へ嵌めてスライドさせることにより簡単に所望のピッチで、基板２２を一列に配列させることができる。各基板２２を適切な位置にてネジ或いはボルトにて固定する。この取付部材２３を、配置用側部である上記下側部１２へ、ネジやボルトといった周知の固定手段、或いは、圧着や接着といった周知の固定方法により固定する。
上記にて、筺体１の配置用側部にＬＥＤが配列され固定される。
バーである取付部材２３へ予めＬＥＤ２が設けられた上記複数の基板２２を取り付けておくことにより、１本の取付部材２３を筺体１へ固定することで、複数のＬＥＤ２を一度に取り付けることができる。また、取付部材２３により、複数のＬＥＤ２を配列した状態にして、筺体１への取り付けが行えるため、便利である。
上記取付部材２３は、基板２２と同様、放熱部材として機能する。
但し、このような取付部材２３を用いずに直接基板２２を筺体１の配置用側部に設けるものとしても実施できる。
また、取付用部材２３を用いる場合、直接取付用部材２３を筺体１へ固定するものの他、他の部材を介して筺体１の配置用側部へ固定するものとしても実施できる。例えば、ＬＥＤ２の位置をカバーや対向側部に対して近づけたい場合、スペーサ（図示しない。）を介して、取付部材２３を筺体１の配置用側部へ固定すればよい。また、図４（Ａ）（Ｂ）へ示すように、筺体１の配置用側部側電源等の周辺機器を配置する場合、当該周辺機器の上、即ち当該周辺機器よりも対向側部側にＬＥＤ２と基板２２と取付部材２３とを配置する。当該周辺機器を利用して取付部材２３を配置用側部（下側部１２）へ固定するものしてもよい。
【００２４】
（表示部３）
表示部３は、筺体１内に設けられた上記ＬＥＤ２が発する光を、筺体１の外部へ拡散しながら透過し、広告を表示する。
表示部３は、この実施の形態において、面板と呼ばれる、樹脂性の乳白色の板にて構成される。面板は半透明であり、光を拡散して看板の外部へ透過する。
詳しくは、表示部３の上記面板の素材として、全光線透過率２５％〜６０％のものが適する。
この他、特に制限はないが、表示部３の素材として、光線反射率２０〜８０％のものが適し、また、光拡散係数０．８〜０．９５のものが適する。
また、面板は、このような条件を満たし必要な強度を有するものであれば、特に制限はないが、上記条件を満たす２〜５ｍｍのものが最適である。
表示部３は、内照式看板の表示部として周知の素材にて形成することができる。
特に、面板は、アクリル板とするのが好ましい。例えば、表示部３のアクリル板として、スミペックスＥＳ０５５（住化アクリル販売会社／東京都中央区新川1丁目6番11号ニューリバータワー4F）を採用することができる。
表示部３において、広告等の文字や図案が表示された表示層と、光を散乱させる乳半層とを、別々のシート及び板状体として構成するものとしても、一体に形成されるものとしても何れでもよい。表示部３については、アクリル乳半（乳半色のアクリル板）で形成する他、ポリカーボネート、塩化ビニル、ＰＥＴにて形成することも可能である。
この実施の形態において、表示部３は、筺体１の上記上側部１１、下側部１２、左側部１３、及び右側部１４に囲まれた正視矩形の板である。
また、この実施の形態において、表示部３は、筺体１の正面と背面とに設けられて、夫々看板の正面と背面を構成する。即ち、表示部３にて、筺体１の正面と背面とは塞がれる。以下必要に応じて、筺体１の正面側の表示部３を前表示部３と呼び、筺体１の背面側の表示部３を後表示部３と呼ぶ。
上記において、面板を賦形し着色することにより、直接表示する広告の文字や図柄を備えた表示部３を形成する。この他、当該面板とは別に広告を表示した透明板を上記面板と重ねて、表示部３を構成するものとしても実施できる。
【００２５】
（カバー４）
カバー４は、筺体１の上記配置側部に設けられる。カバー４は、表面の拡散反射率５０％以上の素材にて形成されている。また、カバー４は、全光線透過率０〜５％の素材にて形成される。カバー４は、弾性変形可能な樹脂製のシートである。
カバー４は、配置用側部即ち下側部１２の上面全体を覆う。
カバー４は、ＬＥＤの前記配列方向から即ち左側部１３又は右側部１４側から側面視した状態において、筺体１の対向側部側へ向け凸状の山型をなす。当該凸状のカバー４は、ＬＥＤの前記配列方向即ち左右方向に伸びる尾根を備える。図１（Ａ）〜（Ｃ）及び図２（Ａ）（Ｂ）へ示す実施の形態では、カバー４は、ＬＥＤの前記配列方向から見て、上方へ向け凸状の円弧を呈する。
この実施の形態においてカバー４は１枚のシートを成型することにより、上記凸状の円弧を呈するように形成されている。
但し、カバー４は、平らなシートを、撓めて湾曲させ筺体１の配置側部に配置することにより、上記凸状の円弧を呈するものとしても実施できる。
カバー４は、完全な曲面により、上記円弧を呈するものとしてもよいが、図２（Ｃ）（Ｄ）へ示す通り、円弧に準じた多角形により円弧に準じた凸状の形状を呈するものとしても実施できる。カバー４を上記の多角形に形成する場合、成型以外に平らなシートを折り曲げることによって形成するものとしても実施できる。
【００２６】
更に、カバー４の上記尾根は、筺体１の対向側部に向け開口し且つ当該尾根に沿って伸びる溝４０を備える。
ＬＥＤ２の配列方向から見て、溝４０は、ＬＥＤの前後へ配置用側部側から対向側部側へ向けて立ち上がる側壁（前方側壁及び後方側壁）と、両側壁の基端間に介され両基端を繋ぐ底部とにて構成される。
この実施の形態において、ＬＥＤ２の前方に位置する前方側壁とＬＥＤ２の後方に位置する後方側壁とは、筺体１の配置用側部側から対向側部側に向けて真っ直ぐ立ち上がり、前方側壁の後面４３と後方側壁の前面４４とは、ＬＥＤの配列方向から見て直線を呈する。
前記ＬＥＤは、カバー４の上記溝４０の底部に位置する。詳しくは、溝４０の底部には、カバー４の表面から裏面へ貫通する即ちカバー４の底部４５を上下に貫通する複数の貫通孔４６が設けられている。
複数の貫通孔４６は、溝４０の伸びる方向即ちＬＥＤ２の配列方向に沿って配列されている。ＬＥＤ２は、カバー４の下方側即ちカバー４裏側から、当該貫通孔４６に挿入されて、カバー４表側の溝４０内に突出する。前記基板２２は、カバー４の裏側に留まり、前記基板２２は、カバー４の裏側において、前記取付部材２３へ保持される。
前記複数のＬＥＤ２は、溝４０内から、ＬＥＤ２に対向する、筺体１の対向側部の下面側を照らす。
【００２７】
カバー４は、拡散反射面とＬＥＤの補間反射面の、二種の反射部を提供する。
具体的には、カバー４の表面即ちカバー４の上面において、上記溝４０より前方の部分が前拡散反射面４１をなし、上記溝４０より後方の部分が後拡散反射部４１をなす。
また、上記溝４０の前方側壁の後面４３が前補間反射面をなし、上記溝４０の後方側壁の前面４４が後補間反射面をなす。以下必要に応じて、上記前方側壁の後面４３を前拡散反射面４３と記し、上記後方側壁の前面４４を後拡散反射面４４と記す。
上記の通り、カバー４により、看板の前後方向についてＬＥＤ２と表示部３の間正確にはＬＥＤ２と内縁１６との間に、拡散反射面が提供され、ＬＥＤ２と拡散表示部との間に補間表示部が提供されるのである。
【００２８】
ＬＥＤ２の配列方向から見て、上方へ凸状の上記カバー４を用いることにより、前拡散反射面４１と後拡散反射面４２の夫々は、表示部３側からＬＥＤに向けて漸次対向側部側へ張り出す連続した面とされる。即ち、ＬＥＤ２の配列方向から見て、前拡散反射面４１は、溝４０の前縁である前方側壁上端を頂点として正面側の表示部３から当該頂点に向けて上側部１１側へ漸次張り出し、後拡散反射面４２は、溝４０の後縁である後方側壁上端を頂点として背面側の表示部３から当該頂点に向けて上側部１１側へ漸次張り出す。
【００２９】
前述の通りカバー４は拡散反射率５０％以上の素材を用いて実施するのが適切である。特に適した素材としては、全反射率９９％、拡散反射率９６％（各反射率は、光波長５５０ｎｍにおける硫酸バリウムとの相対値）、平均発砲径１０μｍ以下（ＡＳＴＥＭ−Ｄ３５７６−７７準拠）、密度３２５ｋｇ／立法メートル（ＪＩＳ  Ｋ  ６７６７）の超微細発泡光反射板を用いるのが好ましい。また全反射率９０％（上記と同様の相対値であり、ＩＬＣ法に基づいて試験を行った）のしぼ面を備えた反射板を採用することもできる。
カバー４は、拡散反射率を５０％以上とし全光線透過率を０％〜５％とするものであれば、樹脂に限定するものではなく、金属などの他の素材にて構成してもよい。例えば、金属の表面に樹脂膜が設けられたものであっても実施できる。
また、対向側部である上側部１１の下面に貼る前記拡散反射シートについても、拡散反射率５０％以下のものを採用して実施するのが好ましい。即ち前記拡散反射シートについても、上記カバー４と同様の素材にて形成することができる。
尚、上記対向側部において、拡散反射シートは、上記カバー４のように凸状の曲面として形成するのではなく、平面のまま使用する。
また、電源等の周辺機器を対向側部側に配置する場合、当該周辺機器の下面に貼るなどして、拡散反射シートを、周辺機器を覆いつつ、当該周辺機器よりも配置用側部側へ配置する必要がある。
【００３０】
（各部材の配置の詳細）
看板の薄型化という観点から、上記前表示部３の後面と後表示部３の前面との距離は、３０ｍｍ〜１５０ｍｍとするのが好ましい。特に当該距離は、６０〜１２０ｍｍとするのが好ましい。
そして、筺体１の配置用側部上面と対向側部下面の距離は、１０００ｍｍ以下とするのが好ましい。
この寸法の看板に対して、各ＬＥＤ２には、１０ｌｍ／ｗ〜２００ｌｍ／ｗ（ルーメン／ワット）の強さの光を発し、各ＬＥＤ２の配列方向の配光角を２０〜１１０度、当該配列方向と直交する方向の配光角を１０〜４５度とするものを採用するのが好ましい。そして、上記において、配列されて隣接するＬＥＤ２間の間隔は、３０ｍｍ〜１５０ｍｍとするのが好ましい。特にＬＥＤ２同士の間隔は、４０〜９０ｍｍとするのが好ましい。本願発明の実施により、密にＬＥＤ２を配列しなくても、看板の明暗のムラは実用範囲に抑えられるのである。
上記において個々のＬＥＤ２が、１０ｌｍ下回ると全体が暗くなり実用的でない。看板の明るさや品位の観点から、特にＬＥＤ２の発する光の強さについて、上限を定める必要はないが、但し上記２００ｌｍ／ｗを超えるとエネルギが熱として消費される割合が極めて大きくなり、効率が悪い。ＬＥＤ２の光の強さは、特に８０〜１５０ｌｍ／ｗとするのが好ましい。
【００３１】
ＬＥＤ２の光軸方向について即ち上下方向について、カバー４の頂部ｔ１は、ＬＥＤ２の先端（上端）よりも、５ｍｍの差を超えない範囲において、対向側部側へ位置するものとするのが好ましく、特にその差は３ｍｍ前後とするのが好ましい。但し、レンズユニット２１によっては、カバー４の頂部ｔ１は、ＬＥＤ２の先端（上端）と同じ高さとしても実施できる。
例えば、ｃａｒｃｌｏ社などの、外周面が不透明な円柱状のレンズユニットでは、円柱の先端のみから光が放出され、円柱の外周面からは光が漏れない。この外周面から光が漏れないタイプのものでは上記の通り、レンズユニット２１の先端（上端）とカバー４とが上記の通り同じ高さとして実施することができる。特に外周面が透明である円柱状のレンズユニットについては、上記の通り、カバー４の頂部ｔ１がＬＥＤ２の先端（上端）よりも、対向側部側へ位置するものとするのが好ましい。
また、ＬＥＤ２と前後の補間反射面４３，４４の夫々との間に隙間の無いもの、即ち溝４０の前後の幅は、ＬＥＤ２の前後の幅（ＬＥＤ２の外径）と等しいものとして実施できる。但し、溝４０の前後の幅は、ＬＥＤ２の前後の幅（ＬＥＤ２の外径）より大きく、ＬＥＤ２と前後の補間反射面４３，４４の夫々との間に隙間が開くものとしても実施できる。特に、上記光が横漏れするタイプのレンズユニット２１については、横漏れした光を遮光せず確実に補間反射面にて拡散反射させる上で、当該隙間の形成が好ましい。
【００３２】
（ＬＥＤの光の拡散反射について）
前後の両拡散反射面４１，４２は、筺体１の対向側部側から配置用側部側へ到達する光を拡散反射する。詳しくは、光源であるＬＥＤ２から、拡散反射シートが貼られた筺体１の上側部１１の下面に向けて、光が放射され、拡散反射シートにて拡散反射した光の一部が、図２（Ａ）において矢印で示す通り、表示部３へ向かい、拡散反射シートにて拡散反射した光の他の一部が、図２（Ｂ）において矢印で示す通り、カバー４表面の両拡散反射面４１，４２にて拡散反射した後、表示部３へ向かう。
一方、溝４０内において、ＬＥＤ２の前方又は後方へ放出された光の一部は、図１（Ｃ）、図２（Ｃ）及び図３（Ａ）において矢印で示す通り、前後の両補間反射面４３，４４にて拡散反射した後、表示部３へ進み、表示部３の正面視においてＬＥＤ２間が暗くなるのを抑制する。また、前後の両補間反射面４３，４４にて拡散反射した光の一部は、図２（Ｄ）において矢印で示す通り、前後両補間反射面４３，４４間で多重に反射し合った後、表示部３へ進む。このような前後両補間反射面４３，４４における光のキャッチボールの後表示部３へ反射光を向けることにより、ＬＥＤ２から横漏れする光を十分拡散して、表示部３においてＬＥＤ２間が暗くなるのを効果的に抑制できる。
尚、図２（Ａ）〜（Ｃ）において、図面の煩雑を避けるため、表示部３のうち、最初に後表示部３側へ進む光のみ示し、最初に前表示部３へ進む光等の他の光を省略している。
ＬＥＤ２から前後に発された光が表示部３へ直接向かうのを、前後の両補間反射面４３，４４が確実に阻止して輝線の発生を防ぐと共に、当該前後の両補間反射面４３，４４は単に遮光するのではなく、当該光を拡散反射して生かすことにより、表示部３の上下方向について表示部３の下方が上方に比して全体的に暗くなることを防止し、表示部３の左右方向についてＬＥＤ２同士の間が暗くなることを防止する。
即ち、補間反射面４３，４４は、ＬＥＤから直接表示部３へ放出さる光を単に遮断するのではなく、遮断した光を拡散反射により均一化して看板を均一に明るく照らすのに巧を奏する。特に光が側面から横漏れするタイプのレンズユニットにおいて、上記遮光と遮断した光の拡散反射による利用のメリットが大きい。
【００３３】
（変更例）
図１、図２及び図３（Ａ）の実施の形態において、ＬＥＤ２配列方向から見て、前補間反射面４３と後補間反射面４４の夫々は、上下に真っすぐ伸びるものとした。この他、図３（Ｂ）へ示すように、前補間側面４３と後補間側面４４は、夫々後退部４７，４８を備えるものとすることができる。前補間側面４３の後退部４７（以下必要に応じて前方後退部４７と呼ぶ。）は、溝４０内にて看板の前方へ後退する部分である。後補間側面４４の後退部４８（以下必要に応じて後方後退部４８と呼ぶ。）は、溝４０内にて看板の後方へ後退する部分である。
図３（Ｂ）、図５及び図６へ示す通り、この実施の形態において、前方後退部４７の後面と後方後退部４８の前面の各後退部４７，４８は、溝４０内にて斜め上方を向く斜面（以下、上斜面と呼ぶ。）と当該斜面の上方に設けられた斜め下方を向く斜面（以下、下斜面と呼ぶ）とにて構成されている。下斜面と上斜面とがなす谷の底が上記後退部４７，４８である。上記後退部４７，４８の形成により、溝４０の開口部の前後の幅ａ即ち前拡散反射面４１の頂部ｔ１と後拡散反射面４２の頂部ｔ１の間隔は、前方後退部４７と後方後退部４８との間の間隔ｂよりも小さい（図３（Ｂ））。即ち、溝４０は、ＬＥＤ２の配列方向から見て、間口が狭くなっている。
また、溝４０の開口部の前後の幅ａは、平面視においてＬＥＤ２のレンズユニット２１の直径よりも大きい。但し、当該幅ａは、上記ＬＥＤ２のレンズユニット２１の直径と等しいものとしても実施できる。
図３（Ｂ）に示すものは、このように溝４０の間口を狭いものとすることによって、ＬＥＤの光を前後何れかの補間反射面４３，４４の何れかにおける一回の反射で表示部３へ送り出すのではなく、前補間反射面４３と後補間反射面４４間における、ＬＥＤの光の上記多重反射を確実行うことによって、十分に拡散した光を、表示部３へ送り出すことができる。
溝４０の前記底部４５も、図１〜図６へ示す各実施の形態において、多重の上記拡散反射に寄与するものである。
【００３４】
補間反射面４３，４４は、夫々上記の通り一組の下斜面と上斜面とにて形成されものに限定するものではない。溝４０内は、下斜面と上斜面の何れか一方、或いは双方を複数備えるものとし、下斜面と上斜面とを交互に配置して実施することもできる。上記により、補間反射面４３，４４の起伏を多くすることにより、補間反射面４３，４４の表面積を大きくして、より効果的に拡散反射を行わせる。
後退部４７，４８を形成するのに、図３（Ｂ）へ示すように、複数の平らな面（斜面）にて、補間反射面４３，４４を構成するものに限定するものではない。
具体的には、図４（Ｃ）へ示す通り、ＬＥＤ２の配列方向から見て、補間反射面４３，４４を円弧状の曲面として形成することにより、前補間反射面４３において当該曲面の最も前方位置を、後補間反射面４４において当該曲面と最も後方位置を、夫々後退部４７，４８とすることができる。図４（Ｃ）に示す看板においても、矢印で示す通り、補間反射面４３，４４にて遮光と拡散反射とが確実になされるのである。
【００３５】
図７に前後両拡散反射面４１，４２の他の実施の形態を示す。
前後両拡散反射面４１，４２の夫々を、前述の側面視円弧を呈する曲面や多角形を呈する複数の面にて構成されたものに限定するものではなく、図７（Ａ）へ示すように、単一の斜面として形成することも可能である。但し、拡散反射の面では、前後両拡散反射面４１，４２の夫々は、上記円弧や多角形を呈するもののほうが、光を拡散する上で好ましい。
側面視において、カバー４を前述の通り多角形として前後両拡散反射面４１，４２の夫々を多角形とする場合も、当該カバー４の形状を、円弧準じた正多角形に限定するものではない。例えば、図７（Ｂ）へ示す通り、側面視において、カバー４を台形状に形成することも可能である。
但し、図７（Ｂ）へ示すものよりも、拡散反射の面において、上記円弧や円弧に準じた多角形を呈するもののほうが、光を拡散する上で好ましい。
更に、前後両補間反射面４３，４４を設けずに実施することも可能である。例えば、図７（Ｃ）へ示す通り、カバー４に上記溝４０を設けずに実施することも可能である。但し、拡散反射にて看板の品位を向上する上で、補間反射面４３，４４を設けて実施するのが好ましい。カバー４に上記溝４０を設けずに実施する場合、前後の拡散反射面４１，４２は、図１及び図２（Ａ）（Ｂ）へ示すカバー４と同様の側面視円弧状を呈するものとしてもよく、図２（Ｃ）（Ｄ）又は図７（Ｂ）へ示すカバー４と同様の側面視多角形を呈するものとしてもよい。
【００３６】
上記において、ＬＥＤ２を配置する配置用側部を筺体１の下側部１２とし、対向側部を筺体１の上側部１１とした。この他、配置用側部を筺体１の上側部１１とし、対向側部を筺体１の下側部１２としてもよい。また、配置用側部を筺体１の左側部１３とし、対向側部を筺体１の右側部１４としてもよく、配置用側部を筺体１の右側部１４とし、対向側部を筺体１の左側部１３としてもよい。
また、配置用側部にのみＬＥＤを配列し、対向側部にはＬＥＤを配置しないものとしたが、看板のサイズによって、対向側部にもＬＥＤを配置し、上記カバー４を設けるものとして実施してもよい。
配置用側部と共に対向側部にＬＥＤを設ける場合、配置用側部と対向側部の距離は、配置用側部にのみＬＥＤを設ける場合の倍とすることかできる。例えば、配置用側部と対向側部の上記上限距離の１０００ｍｍを２０００ｍｍとすることができる。対向側部にＬＥＤ２を設けるものについても、他の寸法や数値は、の対向側部にＬＥＤを設けない前述の看板と同様である。
対向側部にＬＥＤを設ける場合、配置用側部における拡散反射面４１，４２は、配置用側部のＬＥＤから発して、対向側部側で反射して帰ってきた光と、対向側部側のＬＥＤが発した光の双方を拡散反射する。対向側部側の拡散反射面における拡散反射についても、同様である。
また、デザイン上の問題がなければ、図示した各実施の形態において、配置用側部と対向側部との間において、表示部３を保持する鍔の対向側部側端部（外鍔１５の先端ｔ２）は、カバー４の頂部ｔ１と同じか、カバー４の頂部ｔ１よりも対向側部側へ寄っているものとして実施することも可能である。
【００３７】
上記の実施の形態において、表示部３は、樹脂製の板としたが、他の素材例えば樹脂製又は布製のシートにて構成するものを除外するものではない。表示部３を、ＦＦシート（フレキシブル・フェイス・シート）を張ることにて構成するものとしても実施可能である。但し、薄さが求められる比較的小型の内照式看板においては、表示部３を前述の面板と呼ばれる板で形成するのが一般的である。
更に、図示した各実施の形態において、表示部３を筺体１の正面側と背面側とに備えた両面看板を示したが、筺体１の正面側にのみ表示部３を備える片面看板についても実施できる。
また、表示部３を周知の他の手段により筺体１へ固定するものとし、前記鍔を備えないものとしても実施できる。特に、表示部３を上記シートにて構成する場合、鍔以外の周知の固定手段を採用する。
筺体１の正面にのみ表示部３を備える片面看板において、前拡散反射面４１と後補間反射面４４のみ備えるものとし、後拡散反射面４２と前補間反射面４３とは備えないものとしても実施可能であるが、片面看板においても前述の後拡散反射面４２と前補間反射面４３を備えるのが好ましい。
本願発明に係る内照式看板は、各種施設内通路の天井から吊下するもの、壁面から突出するもの、壁面に平行に設置されるもの、またビル等建造物の壁面に設けられるものである。特に両面看板については、ビルの壁面から突出する突き出し式の看板として実施することができる。
但し、本願発明の看板は、建造物へ固定するタイプのものに限定するものではなく、地面や床に置くタイプのものについて実施することも可能である。
【実施例】
【００３８】
図８〜１０へ本願発明の実施例を示す。
図８（Ａ）上段の写真は本願の一実施例に係る看板の正面を示し、中段の写真は上段の写真の破線で囲む部位を拡大したものであり、下段の表は上段の写真に示す看板正面について互いに交差する縦横３本の区画線により９区画に分割して各区画の相対的な明るさを示したものである。図８（Ａ）下段の表において、中央の区画を１００％として他の区画の割合（百分率）を示した。
図８（Ａ）上段の写真中、黒色の数字は各区画の明るさｌｘ（ルクス）の数値（絶対値）を示し、白色の数字は、表示部の寸法（ｍｍ）を示している。
図８（Ｂ）は、比較例とした看板の表示部について、図８（Ａ）と同様の写真と表を示したものである。
図８（Ａ）の実施例と図８（Ｂ）の比較例において、何れも、図示の通り、左右横方向の幅９２０ｍｍ、上下縦方向の幅４５０ｍｍ、前表示部３の背面と後表示部３の前面との間隔８０ｍｍとし、表示部３は、全光線透過率３２％、光線反射率６４％、光拡散係数０．９２で３ｍｍの厚みを持つ乳半色のアクリル板とし、ＬＥＤ２をＲｅｂｅｌ ＮＰＸ  ６００ｍＡで駆動し、各ＬＥＤ２は１００ｌｍ／ｗ（ルーメン／ワット）とし、ＬＥＤ２の配列ピッチは７５ｍｍとし、レンズユニットは図６へ示すタイプのＣａｒｃｌｏ社のものを採用し、配光の長軸（ＬＥＤ配列方向軸）の角度を左右夫々４０度の計８０度とし、配光の短軸（長軸との直交軸）を前後夫々９度の計１８度とした。上記表示部３の上記アクリル板には、スミペックスＥＳ０５５（住化アクリル販売会社）を用いた。
【００３９】
図８（Ａ）の実施例では、筺体１のＬＥＤ２が設けられた下側部１２へ図１及び図２に示すカバー４を設けた。筺体１の上側部１１にはＬＥＤが設けられず、上側部１１に光拡散シートが貼られている。カバー４と拡散反射シートには何れも、全反射率９９％、拡散反射率９６％（各反射率は、光波長５５０ｎｍにおける硫酸バリウムとの相対値）、平均発砲径１０μｍ以下（ＡＳＴＥＭ−Ｄ３５７６−７７準拠）、密度３２５ｋｇ／立法メートル（ＪＩＳ  Ｋ  ６７６７）の超微細発泡光反射板を用いた。尚、図８〜９図中、カバー４と、上側部１１の拡散反射シートの何れも、「反射板」と表示する。
図８（Ｂ）の比較例では、図８（Ａ）と同じ光拡散シートが筺体１の上側部１１の下面に貼られているが、図４（Ｄ）へ示すように筺体１の下側部１２にカバー４は設けられていない。
図８（Ａ）と図８（Ｂ）とを比較すると、破線で囲まれたＬＥＤ近傍の表示部３において、本願の実施例では、模様や明るさの局部的なムラは何ら見られないが、比較例では暗色の背景の中に横方向へジクザグ模様となって複数の連続する山型の輝線が視認できる。
また、下段の表を比較すると、図８（Ａ）の実施例では、表示部３は全体的に明暗の差が少ない。また、図８（Ａ）の上段の写真の数値から、明るさの最大区画（２４００ｌｘ）は明るさの最小区画（１３００ｌｘ）の、１．８５倍の明るさであり、実用上全く問題ない２倍以下という目安を下回っている。一方図８（Ｂ）の比較例では、表示部３において、対向側部である上側部１１側が下側部１２側よりも明るく、下側部１２側は全体的に暗い。図８（Ｂ）の比較例では、上段の写真の数値から、最も明るい区画（２４００ｌｘ）は最も暗い区画（８００ｌｘ）の、３倍の明るさであり、実用上全く問題ない２倍以下という目安を遥かに上回っている。
【００４０】
図９（Ａ）の実施例と図９（Ｂ）の比較例において、何れも、図示の通り、左右横方向の幅９２０ｍｍ、上下縦方向の幅６００ｍｍ、前表示部３の背面と後表示部３の前面との間隔９８ｍｍとし、表示部３は全光線透過率３２％、光線反射率６４％、光拡散係数０．９２で３ｍｍの厚みの乳半色のアクリル板とし、ＬＥＤ２をＲｅｂｅｌ ＮＰＸ  ６００ｍＡで駆動し、各ＬＥＤ２は１００ｌｍ／ｗ（ルーメン／ワット）とし、レンズユニットは図５へ示すタイプのものを採用し、配光の長軸（ＬＥＤ配列方向軸）の角度を左右夫々２２．５度の計４５度とし、配光の短軸（長軸との直交軸）を前後夫々２２．５度の計４５度とした。上記表示部３の上記アクリル板には、スミペックスＥＳ０５５を用いた。
ＬＥＤ２の配列ピッチは図９（Ａ）の実施例において７５ｍｍとし、図９（Ｂ）の比較例において５０ｍｍとした。この５０ｍｍというのはレンズメーカー指定のピッチである。
図９（Ａ）の実施例では、筺体１のＬＥＤ２が設けられた下側部１２へ図１に示すカバー４を設け、筺体１の上側部１１にはＬＥＤを設けず、上側部１１に光拡散シートが貼られている。カバー４と拡散反射シートには何れも、全反射率９９％、拡散反射率９６％（各反射率は、光波長５５０ｎｍにおける硫酸バリウムとの相対値）、平均発砲径１０μｍ以下（ＡＳＴＥＭ−Ｄ３５７６−７７準拠）、密度３２５ｋｇ／立法メートル（ＪＩＳ  Ｋ  ６７６７）の超微細発泡光反射板を用いた。
図９（Ｂ）の比較例では、図４（Ｄ）へ示すように筺体１の下側部１２にカバー４は設けられていない。また、図９（Ｂ）の比較例では、アルミ製の筺体１の対向側部である上側部１１の下面の左側へ、拡散反射シートを貼る代わりに内装板金を施したものであり、筺体１の対向側部である上側部１１の右側は当該板金を施さずにアルミ地肌のままとした。
図９（Ａ）の実施例と図９（Ｂ）の比較例とを比べると、ＬＥＤ２の配列ピッチが狭い分、下側部１２側について比較例のほうが、実施例よりも明るい。その反面、破線で囲まれたＬＥＤ近傍において、図９（Ａ）の実施例では、図９（Ｂ）の比較例の１．５倍のピッチでＬＥＤが配列されているが輝線は目立たない。一方比較例では左右横方向へ伸びる輝線がはっきり表れている。
また、下段の表を比較すると、図９（Ａ）の実施例では、表示部３は全体的に明暗の差が少ない。また、図９（Ａ）の上段の写真の数値から、明るさの最大区画（１６５０ｌｘ）は明るさの最小区画（１０００ｌｘ）の、１．６５倍の明るさであり、実用上全く問題ない２倍以下という目安を下回っている。一方図９（Ｂ）の比較例では、表示部３は、下側部１２側が対向側部である上側部１１側よりも明るく、上側部１１側は全体的に暗い。図９（Ｂ）の比較例の上側部１１側において、アルミ地肌部分の付近は内装板金部分の付近よりも若干明るいものの、アルミ地肌部分の付近も下側部１２側に比べて暗い。
図９（Ｂ）の比較例では、上段の写真の数値から、最も明るい区画（２１００ｌｘ）は最も暗い区画（８００ｌｘ）の、２．６３倍の明るさであり、実用上全く問題ない２倍以下という目安を遥かに上回っている。
【００４１】
図１０（Ａ）に示すものは、一つの看板のサンプルにおいて、ＬＥＤ２の列にカバー４を設けた区間とカバー４を設けてない区間を設定して、その差をより把握し易くしたものである。図１０（Ｂ）に示すものも、当該図１０（Ａ）へ示すものと同様である。
図１０（Ａ）及び図１０（Ｂ）の何れの看板においても、表示部の正面左側がＬＥＤ２に図１及び図２へ示すタイプのカバー４を配置したものであり、表示部の正面右側がＬＥＤ２にカバー４を配置していないものである。
カバー４以外の条件については、図１０（Ａ）（Ｂ）の看板は何れも、前述の図８（Ａ）の看板の設定条件（段落番号００４３）と同様である。
尚、図１０（Ｂ）については、アルミ製の筺体１の対向側部である上側部１１の下面の左側へ、拡散反射シートを貼る代わりに内装板金を施したものであり、筺体１の対向側部である上側部１１の右側は当該板金を施さずにアルミ地肌のままとした。
この図１０（Ａ）（Ｂ）において、カバー４（図中反射板の表示）を設けたものでは、レンズユニットによる上記輝線が表れていないのに対して、カバー４を設けていないものは、当該輝線がはっきり表れているのが確認できる。
【００４２】
図８、図９及び図１０において、実施例及び比較例の上段の写真には、表示部の右側部寄りに上下に渡って暗部が見られる。この右寄りの部分には、検証用のサンプルとして作った当該看板において、筺体を補強する補強用部材が筺体内部にあるため、ＬＥＤが設けられていない。このため、上記暗部が現れたが、上記検証に無関係である。
上記図８〜図１０から、本願発明の各実施例は、比較例との対比において、看板の均一化や輝線の抑制による品位を著しく向上したことが分かる。また、その結果、ＬＥＤを疎に配置して、数量を低減させつつ、品位を維持できることが把握される。
また、本願発明者は、図３（Ｂ）や図４（Ｃ）に示すタイプのカバー４を設けた看板についても、補間反射部４３，４４の形状以外（上記後退部と開口部の前後幅について（ｂ−ａ）／２＝３ｍｍとした。）について、図示は省略するが、上記図８〜図１０へ示す看板と、同じ条件にて検証を行った。その結果、ほぼ上記図８〜図１０へ示す図１のタイプのカバーとほぼ同じ結果となった。従って、補間反射部４３，４４について後退部を形成した図３（Ｂ）や図４（Ｃ）に示すタイプのカバー４についても、看板の均一化や輝線の抑制による品位を著しく向上したことが分かる。また、その結果、ＬＥＤを疎に配置して、数量を低減させつつ、品位を維持できることが把握される。
【符号の説明】
【００４３】
１  筺体
２  ＬＥＤ
３  表示部
４  カバー
４１  前拡散反射面
４２  後拡散反射面
４３  前補間反射面
４４  後補間反射面
【図１】
2013148739.tif 000003
【図２】
2013148739.tif 000004
【図３】
2013148739.tif 000005
【図４】
2013148739.tif 000006
【図５】
2013148739.tif 000007
【図６】
2013148739.tif 000008
【図７】
2013148739.tif 000009
【図８】
2013148739.tif 000010
【図９】
2013148739.tif 000011
【図１０】
2013148739.tif 000012